(57)【特許請求の範囲】
【請求項１】
通信管理及び制御並びに必要に応じて通話料金請求のために無線インターフェースを介して中央移動通信局（ＭＺ）と接続された複数の移動端末（ＭＥ）を有し、前記移動端末（ＭＥ）は少なくとも１人のユーザを関連付けるためのデータが記憶された加入者識別モジュール（ＳＩＭ）により管理及び制御され、前記加入者識別モジュール（ＳＩＭ）は前記モジュールに付随する国際移動加入者識別名（ＩＭＳＩ）を有する移動無線システムにおいて、前記加入者識別モジュール（ＳＩＭ）が前記記憶された識別名（ＩＭＳＩ）から別の国際移動加入者識別名（ＩＭＳＩＷ ）を少なくとも１つ計算するための計算規則をもち、前記計算規則から生成された識別名が次いで前記中央移動交換局（ＭＺ）で関連付けられることを特徴とする移動無線システム。
【請求項２】
通信管理及び制御並びに必要に応じて通話料金勘定のために無線インターフェースを介して中央移動通信局（ＭＺ）と接続された複数の移動端末（ＭＥ）を有し、前記移動端末（ＭＥ）は少なくとも１人のユーザに関わるデータが記憶された加入者識別モジュール（ＳＩＭ）により管理され制御され、前記加入者識別モジュール（ＳＩＭ）は前記モジュールに付随する国際移動加入者識別名（ＩＭＳＩ）を有する移動無線システムにおいて、前記加入者識別モジュール（ＳＩＭ）がリクエスト信号を生成するように構成され、前記リクエスト信号に応答して前記中央移動交換局（ＭＺ）が前記加入者識別モジュール（ＳＩＭ）に関連付けられる代替国際移動加入者識別名（ＩＭＳＩＷ ）を通信することを特徴とする移動無線システム。
【請求項３】
新識別名（ＩＭＳＩＷ ）のための前記計算またはリクエストがキーボードまたはメニューを介したユーザ入力により実施されることを特徴とする請求項１または２記載の移動無線システム。
【請求項４】
新識別名（ＩＭＳＩＷ ）のための前記計算またはリクエストが個人識別番号（ＰＩＮ）の入力により開始されることを特徴とする請求項１または２記載の移動無線システム。
【請求項５】
別のダイレクトリ入力及び／または別のキーが前記別の識別名（ＩＭＳＩＷ ）と一緒に計算されることを特徴とする請求項１から４のいずれかに記載の移動無線システム。
【請求項６】
少なくとも２つの国際移動加入者識別名をもつ動作に適した加入者識別モジュールに管理及び制御される移動無線システムの移動端末（ＭＥ）を動作させるための方法において、前記加入者識別モジュールが、別の識別名を、前記加入者識別モジュール（ＳＩＭ）に記憶されたただ１つの識別名（ＩＭＳＩ）から、計算規則により生成することを特徴とする方法。
【請求項７】
前記計算を前記加入者識別モジュール（ＳＩＭ）で実行することを特徴とする請求項６記載の方法。
【請求項８】
前記計算を前記移動端末（ＭＥ）のリクエストに基づいて前記中央移動交換局（ＭＺ）において行い、前記新識別名を前記移動無線システムの前記無線インターフェースを介して前記移動端末（ＭＥ）に通信することを特徴とする請求項６記載の方法。
【請求項９】
識別名がメニュー及び／またはキーボードを介した個人識別番号（ＰＩＮ）の入力により設定されることを特徴とする請求項６〜８のいずれかに記載の方法。
【請求項１０】
別のダイレクトリ入力及び／または別のキーを前記別の識別名（ＩＭＳＩＷ ）と一緒に計算することを特徴とする請求項６から９のいずれかに記載の方法。
【請求項１１】
前記別の識別名（ＩＭＳＩＷ ）を前記中央移動交換局（ＭＺ）または前記移動端末（ＭＥ）による確認またはリクエスト毎に新しく計算することを特徴とする請求項６から１０のいずれかに記載の方法。
【請求項１２】
新しい識別名（ＩＭＳＩ）が選択されるかあるいは前記移動端末（ＭＥ）の電源が切られるまで、前記別の識別名（ＩＭＳＩＷ ）が、前記加入者識別モジュール（ＳＩＭ）に一時的に記憶されることを特徴とする請求項６から１０のいずれかに記載の方法。
【請求項１３】
ユーザに対する国際移動加入者識別名（ＩＭＳＩ）が記憶された移動無線システムの移動端末（ＭＥ）用加入者識別モジュール（ＳＩＭ）において、前記記憶された識別名（ＩＭＳＩ）から別の国際移動加入者識別名（ＩＭＳＩＷ ）を少なくとも１つ計算するための計算規則が前記加入者識別モジュール（ＳＩＭ）に記憶されていることを特徴とする加入者識別モジュール。
【請求項１４】
ユーザに対する国際移動加入者識別名（ＩＭＳＩ）が記憶された移動無線システムの移動端末（ＭＥ）用加入者識別モジュール（ＳＩＭ）において、前記加入者識別モジュール（ＳＩＭ）が代替国際移動加入者識別名（ＩＭＳＩ）をリクエストするリクエスト信号を生成するように構成されていることを特徴とする加入者識別モジュール。
【請求項１５】
前記加入者識別モジュール（ＳＩＭ）が、計算されるかあるいは前記中央移動交換局（ＭＺ）から通信される別の識別名（ＩＭＳＩＷ ）を一時的に記憶するための一時記憶領域（ＲＡＭ）を持つことを特徴とする請求項１３または１４記載の加入者識別モジュール。
【請求項１６】
現在選択されている識別名（ＩＭＳＩ，ＩＭＳＩＷ ）が記憶されている選択された一時記憶ロケーションを指示するために、メモリアドレスポインタを備えることを特徴とする請求項１３から１５のいずれかに記載の加入者識別モジュール。
【発明の詳細な説明】
【０００１】
本発明は、請求項１または請求項２の前文に述べられるような、通信制御及び必要に応じての通話料金請求のための、無線インターフェースを介して中央移動交換局と接続された複数の移動端末を有する移動無線システムに関する。本発明はさらに請求項６の前文に従う移動無線システムの移動端末の動作方法、及び請求項１３の前文に従う移動端末用加入者識別モジュールに関する。
【０００２】
既知の移動無線システム、例えばＧＳＭネットワークにおいては通常、移動端末が無線インターフェースを介して中央移動交換局に接続されている。移動端末は加入者識別モジュールにより管理され、制御される。加入者識別モジュールは通常、移動端末に抜き差しできるように与えられるＩＤ−１またはＩＤ−０００フォーマットのチップカードの形態につくられている。加入者識別モジュール（ＳＩＭ）はとりわけ、認定者に移動無線ネットワークへのアクセスを認め、通話料金勘定を可能にするために用いられる。この目的のため、ＳＩＭは全ＧＳＭネットワークの世界中の加入者を識別するための加入者識別名（国際移動加入者識別名，ＩＭＳＩ）をもっている。加入者識別名は通常、加入者識別名に割り当てられた通話料金請求口座を有し、それを通して通話料金勘定がなされる。
【０００３】
特に移動電話の（例えば業務用及び私用の）二重利用のためには、加入者識別モジュールが別の識別名を少なくとも１つ備えると有用であることが認められている。ヨーロッパ特許明細書第ＥＰ０５７９６５５Ｂ１号は、それぞれが少なくとも２つの交互使用が可能な識別名をもつ加入者識別モジュールにより管理され制御される移動電話システムに関する方法を開示している。移動ユニットの動作開始時に、加入者識別モジュールの挿入の向きにより、あるいはキーボードを介して個人識別番号（ＰＩＮ）を入力することにより、ユーザは所望の識別名を発動させることができる。
【０００４】
上記既知の方法の欠点は、前記交互使用可能な識別名が発行時にすでにカードに記憶されていなければならないことである。このことは実際問題として、移動無線への接続が申請されるときには交互使用可能な識別名の数がすでにわかっていなければならないことを意味する。特に後になって新しい識別名が割り当てられなければならない場合、これは新しいカード、すなわち新しい加入者識別モジュールの発行によってのみ可能となる。
【０００５】
従って本発明の課題は、上記の欠点を回避する、移動無線システム及びこの移動無線システムの動作方法並びに加入者識別モジュールを提示することである。
【０００６】
上記課題は、請求項１及び２に従う移動無線システム，並びに請求項６に従う方法及び請求項１３に従う加入者識別モジュールにより解決される。
【０００７】
本発明の有用な展開は従属請求項に提示される。
【０００８】
請求項１に従えば、移動端末を管理し制御するために用いられる加入者識別モジュールが記憶された識別名から別の識別名を少なくとも１つ計算するための計算規則をもつ移動無線システムが提供される。この計算規則に従って生成された識別名は次いで中央移動交換局で関連付けられる。上述の課題を解決するための請求項２に従う別形は、中央移動交換局に送信されてそこで処理され、その結果として別の識別名が無線インターフェースを介して加入者識別モジュールに送信されるリクエスト信号を生成できるように加入者識別モジュールを設計することである。
【０００９】
請求項１及び２に従う解決法の利点は、チップカード、すなわち加入者識別モジュールに全識別名を記憶しておく必要がないことである。これにより、カードがユーザに発行された後に、すなわちユーザが接続を申請した後に、さらに識別名を割り当てることができるから、システムは扱いがより融通がきく。したがって、関連付けられた識別名を有する移動電話の所有者は、新しいカードを発行してもらう必要なしに、後の時点で第２の識別名を得ることができる。
【００１０】
本発明の有用な展開に従えば、新識別名の計算またはリクエストはキーボード入力により、またはメニューを介して、ユーザにより起動される。最も簡単な場合には、それぞれが関連する計算プロセスを起動させる２つ以上の切換ポジションを有する切換スイッチを移動電話に備えることができる。別形のメニューによる起動は、メニュー表示を加入者識別モジュールにより管理し制御できるので移動端末にはなんら変更を施す必要がないという利点を有する。この利点はまた、新しい識別名の計算またはリクエストがＰＩＮの入力により開始されるという本発明の別の有用な展開にもあてはまる。この場合、ユーザがそれをもって自らを認定者として識別する複数の個人識別番号が加入者識別モジュールに記憶される。このように、ＰＩＮの入力は機能を作動可能にするだけでなく、所望の加入者識別名が元来の識別名に一致しなければ、所望の加入者識別名の計算も起動する。
【００１１】
移動無線システムの移動端末は屋外ネットワークで用いられることが多いから、別のダイレクトリ入力コード（電話番号）及び／または別の認証キーを前記別の識別名とともに計算すると有用であることが認められている。特に前記別のダイレクトリ入力は、ダイレクトリ入力コードに一致する電話番号をもつ移動端末にのみ接続し得るという利点を有する。これにより、例えばユーザが屋外ネットワーク区域に私用で滞在している間は、私用電話の呼出しか受けないことが保証される。ユーザに電話をかけるための電話番号が複数あれば、屋外ネットワークで発生するユーザに割り当てられる費用を“ビジネス用”電話、すなわち現在選択されていない電話番号に転送して割り当てることもできる。
【００１２】
本発明はさらに、加入者識別モジュールに記憶されたただ１つの識別名から、必要であれば計算規則によって別の識別名を生成する、移動端末の動作方法に関する。本方法は、本発明に従う移動無線システムに関して上述した、カードに複数の識別名を記憶させておく必要はなく、使用されるかもしれない全ての識別名を記憶する必要なしにカードを発行できるから、システムがより柔軟に稼働できるという利点を提供する。
【００１３】
本発明に従えば、新識別名の計算は加入者識別モジュールでも中央移動交換局でも行うことができ、後者の場合には、移動端末が中央移動交換局にリクエストを送り、新識別名が移動無電システムの無線インターフェースを介して移動端末に、したがって加入者識別モジュールに送信される。
【００１４】
本発明の方法は、現在の識別名が確認のためにそれぞれの識別名について新しく計算され、この計算は中央移動交換局または移動端末のリクエストで行われるという、別の有用な展開を提供する。このようにすれば、加入者識別モジュールに別の識別名を記憶するためのいかなるメモリ空間も用意する必要がなくなる。
【００１５】
例えば計算に必要な計算時間があるため、現在の識別名をより迅速に利用できなければならない場合は、現在設定された識別名を加入者識別モジュールに一時的に記憶することもできる。
【００１６】
本発明はさらに、上述した方法による使用に適した移動無線システムの移動端末用加入者識別モジュールを提出する。この目的のため、記憶された識別名から別の識別名を少なくとも１つの計算するための計算規則が加入者識別モジュールに記憶される。あるいは、加入者識別モジュールをリクエスト信号を発生するように構成することもできる。この場合、加入者識別モジュールはネットワーク中央局における新しい識別名の計算を開始させ、よって代替のあるいは別の識別名の計算はカードで、すなわち加入者識別モジュールでは行われない。
【００１７】
本発明の好ましい実施の形態を、図１から５を参照して、以下でさらに詳細に説明する。
【００１８】
図１は中央移動交換局ＭＺ，基地局システムＢＳ並びに、移動端末ＭＥ及び加入者識別モジュールＳＩＭから構成される移動局ＭＳからなる移動無線システムを示す。加入者識別モジュールＳＩＭは移動無線仕様のチップカードであり、移動端末ＭＥとともに移動局ＭＳを作動させる。加入者識別モジュールには、認定者にのみネットワークへのアクセスを認め、通話料金勘定を行うために必要な全データが記憶されている。加入者識別モジュールの主要な任務は、移動無線システムに対する認証及びユーザ特化データの記憶である。特に、加入者ＩＭＳＩの識別に関するデータが加入者識別モジュールに記憶される。データ及び会話が移動ユニットＭＥと基地局ＢＳとの間で無線交信により交換される。基地局ＢＳは中央移動交換局ＭＺと接続されている。中央移動交換局ＭＺはビジターロケーションレジスタ及ホームロケーションレジスタをもち、ユーザデータが一時的に（ビジターロケーションレジスタに）または永久的に（ホームロケーションレジスタに）記憶される。重要なデータは、特に加入者のＩＭＳＩ及びＩＭＳＩに関連するダイレクトリ入力コードＭＳＩＳＤＮである。本発明に従えば、加入者識別モジュールＳＩＭはそこに永久的に記憶されている識別名ＩＭＳＩから少なくとも１つの別の識別名ＩＭＳＩＷ を計算するための１つ以上の計算規則ＲＶをもつ。元来のＩＭＳＩと関連する前記別の識別名が、中央移動交換局に記憶されるか、または加入者識別モジュールにある規則と同じ計算規則により中央移動交換局で生成される。
【００１９】
図２は加入者識別モジュールＳＩＭの大まかなブロック図を示す。このＳＩＭは、プログラムメモリＲＯＭ，作業メモリＲＡＭ，及びＥ２ＰＲＯＭ であることが好ましい不揮発性メモリＳＰに接続された演算ユニットＣＰＵをもつ。不揮発性メモリＳＰには、元来の識別名ＩＭＳＩ及びユーザのリクエストあるいは移動端末または中央移動交換局のリクエストで特定の新識別名ＩＭＳＩＷ を計算するための計算規則ＲＶが記憶されている。計算規則ＲＶは代わりにＲＯＭに記憶することもできる。与えられた計算規則ＲＶにより新しく計算されたＩＭＳＩＷ は、移動無線システムのリクエストで直ちに利用できるように、作業メモリＲＡＭに一時的に記憶することもできる。
【００２０】
図３は、別の識別名を選択するための流れ図の例を示す。本図において、ＩＭＳＩ選択のプログラム開始はＳ１で表示される。選択リクエストは、メニュー選択によるユーザのリクエストでも、あるいはネットワークまたは移動ユニットのリクエストでも開始される。プログラムステップＳ２において、ユーザは入力を求められるか、あるいは以前の入力が受け付けられる。ステップＳ３においては、ステップＳ２からの選択入力が確認されて、対応する計算規則がステップＳ４１，Ｓ４２，．．．Ｓ４ｎに従って実行される。選択されたＩＭＳＩが元来のＩＭＳＩであれば、変更がなされないかあるいは値０が元来のＩＭＳＩに加えられる。識別名１が選択されると計算規則ＲＶ１により計算がなされ、値１が元来のＩＭＳＩに加えられる。同様の作業がさらにステップＳ４ｎのＩＭＳＩｎまでの可能な識別名の全てについて行われる。
【００２１】
新しく計算されたＩＭＳＩＷ は次いでステップＳ５に出力される。認証または確認のために出力されるＩＭＳＩＷ は加入者識別モジュールへの移動ユニットのリクエスト毎に新しく計算され、この場合選択入力（Ｓ２）の代わりに最終入力値が受け付けられる。この場合ステップＳ２は省くことができるか、あるいはメモリから最終入力選択入力値をロードするための指令に含まれる。
【００２２】
あるいは、ステップＳ４（Ｓ４１〜Ｓ４ｎ）で計算された新ＩＭＳＩＷ は、移動ユニットの電源が切られるかあるいは新しいＩＭＳＩが選択されるまで、加入者識別モジュールのＲＡＭまたはＥ２ＰＲＯＭ にユーザが一時的に記憶させることもできる。
【００２３】
図４はＰＩＮの入力によるＩＭＳＩ選択手順に関する流れ図を例として示す。ステップＳ１０において、新ＰＩＮの入力により選択プログラムが開始される。ステップＳ１１において、Ｓ１２における計算規則のための結合が選択されたＰＩＮに従って生成される。この結合はどの計算規則が選択されるか（図示していない），あるいはただ１つの計算規則ＲＶによりどの識別値が元来の識別名ＩＭＳＩに加えられるか（ステップＳ１２）を定める。
【００２４】
元来のＩＭＳＩへの識別値の加算という最も簡単な場合に含まれる、計算規則の実行（Ｓ１２）の後、図３のステップＳ５について上述したように、新しい識別名が出力される。
【００２５】
複数の切換ポジションをオプションとして有するスイッチによるＩＭＳＩ選択の場合には、新しい結合は例えば切換ポジションから直接決定される、すなわち切換ポジションが直接この結合を示すことができるから、ステップＳ１０は省くことができる。
【００２６】
図３及び４に示した手順はもちろん、ネットワークアクセス権の確認のため、計算規則より得ることができるＩＭＳＩ、すなわち生じ得るＩＭＳＩが中央移動交換局に記憶されるか、あるいは加入者識別モジュールにおけると同様に中央移動交換局で計算することもできることを前提としている。この場合、許容され得る識別値が記憶されなければならない。
【００２７】
加入者識別モジュールＳＩＭが発行した新識別名が認められるものではなかった場合には、元来のＩＭＳＩから新識別名を計算するために必要な新識別値を、端末を用いて直接、あるいは無線インターフェースを介したＯＴＡ（空中回線）機能を用いて入力することができる。
【００２８】
図５は、あり得る識別名を対応する識別値とともに表示しているメニューを例として示す。現在選択されている識別名が強調されて、例えば下線を付けられてメニューに表示される。新識別名を、例えば移動無線装置に通常配置されている“次へ”キー及び“承認（ＯＫ）”機能を用いて選択することができる。
【図面の簡単な説明】
【図１】  移動無線ネットワークの基本的な構成を示す
【図２】  加入者識別モジュールのブロック図を示す
【図３】  動的ＩＭＳＩ選択の第１の流れ図を示す
【図４】  動的ＩＭＳＩ選択の第１２流れ図を示す
【図５】  メニュー表示の典型例を示す
【図１】
0004383666.tif 000002
【図２】
0004383666.tif 000003
【図３】
0004383666.tif 000004
【図４】
0004383666.tif 000005
【図５】
0004383666.tif 000006